(57)【特許請求の範囲】
【請求項１】
工事現場の端末機から工事進行に伴う建設工事に関する工事情報（工事日報データと工事写真データと工事図面データ）を通信回線を介してサーバーに送信し；
サーバーは上記工事現場の端末機から送信された工事情報を、工事日報データベースと工事写真データベースと工事図面データベースとに区分して記憶装置に保有せしめ；
上記工事日報データベースには上記工事日報データを工事期間毎に区分して保有せしめ、同様に上記工事写真データベースには上記工事写真データを工事期間毎に区分して保有せしめ、同様に上記工事図面データベースには上記工事図面データを工事期間毎に区分して保有せしめ；
上記サーバーはその編集プログラムにより上記工事現場の端末機から送信された工事情報が上記工事日報データベースと工事写真データベースと工事図面データベースのどこに属するかを判別すると共に、各データベースのどの工事期間に属するかを判別して上記各該当部に区分して保存せしめ；
上記工事現場の端末機において全工事期間における上記工事日報データ、又は同工事写真データ、又は同工事図面データを選択メニューにより個別に読み出しを要求し、又各工事期間における工事日報データと工事写真データと工事図面データとを上記とは別の選択メニューにより工事期間毎に読み出しを要求し；
更に上記端末機における各選択メニューの要求に応じたデータを上記サーバーが有する端末機管理プログラムにより、上記工事日報データベース又は／及び工事写真データベース又は／及び工事図面データベースから上記工事現場の端末機に送信する；
ことを特徴とする建設工事における工事管理方法。
【発明の詳細な説明】
【０００１】
【発明の属する技術分野】
本発明は建設工事における工事情報を工事期間毎に区分して電子文書化し、閲覧・管理できるようにした工事管理方法に関する。
【０００２】
【従来の技術】
従来、建設工事における工事情報を電子文書化して閲覧管理する方法においては、工事現場からパソコンを用いて毎日の工事日報データと工事写真データと工事図面データとをサーバーに送信し、該サーバーにおいてはこの工事日報データと工事写真データと工事図面データとを、工事日報データベースと工事写真データベースと工事図面データベースに区分して日付順（送信順）に保存して置き、工事現場においてはパソコンを用いてこの工事日報データベース又は工事写真データベース又は工事図面データベースの何れかを指定して、該データベース中の特定の日付の工事日報データ又は工事写真データ又は工事図面データの何れかを読み出し閲覧に供し、且つ工事管理に供している。
【０００３】
【発明が解決しようとする課題】
然しながら着工から竣工に至る工事期間内のある特定日の工事日報データ又は工事写真データ又は工事図面データしか閲覧できず、そればかりか日付をも特定できずに、工事期間内の全ての工事日報データ又は同工事写真データ又は同工事図面データを読み出し、全データを目視確認しつつ探し出す操作を強いられ、着工から竣工に至るある特定期間内の工事進捗状況を総合的に把握し管理することが困難である。
【０００４】
【課題を解決するための手段】
本発明における建設工事における工事管理方法は、建設工事に関する工事情報を工事日報データベースと工事写真データベースと工事図面データベースとに区分して保有せしめる。
【０００５】
そして上記工事日報データベースには第１工事期間工事日報データと第２工事期間工事日報データと第３工事期間工事日報データ…に区分して保有せしめる。
【０００６】
同様に上記工事写真データベースには第１工事期間工事写真データと第２工事期間工事写真データと第３工事期間工事写真データ…に区分して保有せしめる。
【０００７】
同様に上記工事図面データベースには第１工事期間工事図面データと第２工事期間工事図面データと第３工事期間工事図面データ…に区分して保有せしめる。
【０００８】
第一の情報把握方法として、上記工事日報データベースから第１工事期間工事日報データと第２工事期間工事日報データと第３工事期間工事日報データ…とを一括して読み出して上記全ての工事期間における工事日報データを把握する。
【０００９】
同様に上記工事写真データベースから第１工事期間工事写真データと第２工事期間工事写真データと第３工事期間工事写真データ…とを一括して読み出して上記全ての工事期間における工事写真データを把握する。
【００１０】
同様に上記工事図面データベースから第１工事期間工事図面データと第２工事期間工事図面データと第３工事期間工事図面データ…とを一括して読み出して上記全ての工事期間における工事図面データを把握する。
【００１１】
更に第二の情報把握方法として、上記工事日報データベースと工事写真データベースと工事図面データベースから第１工事期間工事日報データと第１工事期間工事写真データと第１工事期間工事図面データとを読み出して第１工事期間における全ての工事日報データと工事写真データと工事図面データを把握する。
【００１２】
同様に上記工事日報データベースと工事写真データベースと工事図面データベースから第２工事期間工事日報データと第２工事期間工事写真データと第２工事期間工事図面データとを読み出して第２工事期間における全ての工事日報データと工事写真データと工事図面データを把握する。
【００１３】
同様に上記工事日報データベースと工事写真データベースと工事図面データベースから第３工事期間工事日報データと第３工事期間工事写真データと第３工事期間工事図面データとを読み出して第３工事期間における全ての工事日報データと工事写真データと工事図面データを把握する。
【００１４】
本発明は上記第一の情報把握方法の実行によって、着工から竣工に至る全工事期間内の工事日報データ又は工事写真データ又は工事図面データをある特定期間に区切って総覧でき、工事の進捗状況とその問題点が的確に把握できる。
【００１５】
更に上記第二の情報把握方法の実行によって、着工から竣工に至る全工事期間内の工事日報データ並びにこれに対応する工事写真データと工事図面データをある特定期間に区切って総覧でき、工事日報データ並びに工事写真データと工事図面データの関連性と問題の所在を体系的且つ明確に把握できる。
【００１６】
【発明の実施の形態】
以下本発明の実施の形態を図１乃至図５に基づいて説明する。
【００１７】
図１におけるＳはサーバーであり、該サーバーＳの記憶装置１には図２に示すように、建設工事に関する工事情報を工事日報データベース２と工事写真データベース３と工事図面データベース４とに区分して保有せしめ、更に編集プログラム５と端末機管理プログラム７とを保有せしめる。
【００１８】
上記工事日報データ２１，２２，２３…と工事写真データ３１，３２，３３…と工事図面データ４１，４２，４３…とは、例えば工事現場のパソコン等の端末機１０から工事の進行に伴い、殆ど毎日のように通信回線を介して上記サーバーＳに送信され、該データ２１，２２，２３，３１，３２，３３，４１，４２，４３…は外部インターフェース９を介して主制御部（ＣＰＵ）６で処理され、編集プログラム５によってこれらデータ２１，２２，２３，３１，３２，３３，４１，４２，４３…が工事日報データベース２と工事写真データベース３と工事図面データベース４のどこに属するかを判別すると共に、各データベース２，３，４のどの工事期間に属するかを判別し、該当部に区分して保存する。
【００１９】
そして図３に示すように、上記工事日報データベース２には第１工事期間工事日報データ２１と第２工事期間工事日報データ２２と第３工事期間工事日報データ２３…に区分して保有せしめる。
【００２０】
例えば全工事期間を着工時と施工時と竣工時の各期間に区分けする。この場合、着工時工事日報データが上記第１工事期間工事日報データ２１に当たり、施工時工事日報データが上記第２工事期間工事日報データ２２に当たり、竣工時工事日報データが第３工事期間工事日報データ２３に当たる。
【００２１】
同様に上記工事写真データベース３には第１工事期間工事写真データ３１と第２工事期間工事写真データ３２と第３工事期間工事写真データ３３…に区分して保有せしめる。
【００２２】
例えば全工事期間を着工時と施工時と竣工時の各期間に区分けする。この場合、着工時工事写真データが上記第１工事期間工事写真データ３１に当たり、施工時工事写真データが上記第２工事期間工事写真データ３２に当たり、竣工時工事写真データが第３工事期間工事写真データ３３に当たる。
【００２３】
同様に上記工事図面データベース４には第１工事期間工事図面データ４１と第２工事期間工事図面データ４２と第３工事期間工事図面データ４３…に区分して保有せしめる。
【００２４】
例えば全工事期間を着工時と施工時と竣工時の各期間に区分けする。この場合、着工時工事図面データが上記第１工事期間工事図面データ４１に当たり、施工時工事図面データが上記第２工事期間工事図面データ４２に当たり、竣工時工事図面データが第３工事期間工事図面データ４３に当たる。
【００２５】
第一の情報把握方法として図３に示すように、端末機１０を用いて第１メニュー１１を選択し、サーバーＳの上記工事日報データベース２から第１工事期間工事日報データ２１と第２工事期間工事日報データ２２と第３工事期間工事日報データ２３…とを一括して読み出して、図４Ａに示すように、端末機１０の画面８にこれらを第１表示１１′として表示し閲覧することにより、上記全ての特定工事期間における工事日報データ２１，２２，２３…を把握する。
【００２６】
図２に示す端末機管理プログラム７は上記第１メニュー１１又は以下に述べる第２乃至第６メニュー１２，１３，１４，１５，１６の要求があると、工事日報データベース２又は／及び工事写真データベース３又は／及び工事図面データベース４から上記要求に応じたデータを端末機１０に閲覧せしめる。
【００２７】
同様に図３に示すように、端末機１０を用いて第２メニュー１２を選択し、サーバーＳの上記工事写真データベース３から第１工事期間工事写真データ３１と第２工事期間工事写真データ３２と第３工事期間工事写真データ３３…とを一括して読み出して、図４Ｂに示すように、端末機１０の画面８にこれらを第２表示１２′として表示し閲覧することにより、上記全ての工事期間における工事写真データ３１，３２，３３…を把握する。
【００２８】
同様に図３に示すように、端末機１０を用いて第３メニュー１３を選択し、サーバーＳの上記工事図面データベース４から第１工事期間工事図面データ４１と第２工事期間工事図面データ４２と第３工事期間工事図面データ４３…とを一括して読み出して、図４Ｃに示すように、端末機１０の画面８にこれらを第３表示１３′として表示し閲覧することにより、上記全ての工事期間における工事図面データ４１，４２，４３…を把握する。
【００２９】
更に第二の情報把握方法として図３に示すように、端末機１０を用いて第４メニュー１４を選択し、サーバーＳの上記工事日報データベース２と工事写真データベース３と工事図面データベース４から第１工事期間工事日報データ２１と第１工事期間工事写真データ３１と第１工事期間工事図面データ４１とを読み出して、図５Ａに示すように、端末機１０の画面８にこれらを第４表示１４′として表示し閲覧することにより、第１工事期間における全ての工事日報データ２１と工事写真データ３１と工事図面データ４１を把握する。
【００３０】
同様に図３に示すように、端末機１０を用いて第５メニュー１５を選択し、サーバーＳの上記工事日報データベース２と工事写真データベース３と工事図面データベース４から第２工事期間工事日報データ２２と第２工事期間工事写真データ３２と第２工事期間工事図面データ４２とを読み出して、図５Ｂに示すように、端末機１０の画面８にこれらを第５表示１５′として表示し閲覧することにより、第２工事期間における全ての工事日報データ２２と工事写真データ３２と工事図面データ４２を把握する。
【００３１】
同様に図３に示すように端末機１０を用いて第６メニュー１６を選択し、サーバーＳの上記工事日報データベース２と工事写真データベース３と工事図面データベース４から第３工事期間工事日報データ２３と第３工事期間工事写真データ３３と第３工事期間工事図面データ４３とを読み出して、図５Ｃに示すように、端末機１０の画面８にこれらを第６表示１６′として表示し閲覧することにより、第３工事期間における全ての工事日報データ２３と工事写真データ３３と工事図面データ４３を把握する。
【００３２】
本発明は上記第一の情報把握方法の実行によって、着工から竣工に至る全工事期間内の工事日報データ２１，２２，２３…又は工事写真データ３１，３２，３３…又は工事図面データ４１，４２，４３…をある特定期間に区切って総覧でき、工事の進捗状況とその問題点が的確に把握できる。
【００３３】
更に上記第二の情報把握方法の実行によって、着工から竣工に至る全工事期間内の工事日報データ２１，２２，２３…並びにこれに対応する工事写真データ３１，３２，３３…と工事図面データ４１，４２，４３…をある特定期間に区切って総覧でき、工事日報データ並びに工事写真データと工事図面データの関連性と問題の所在を体系的且つ明確に把握できる。
【図面の簡単な説明】
【図１】建設工事における工事管理方法を実行するサーバーと端末機の関係を示す図。
【図２】サーバーの記憶部の構成を示す図。
【図３】建設工事における工事管理方法を実行するサーバーと端末機の処理方法を示すブロック図。
【図４】Ａ，Ｂ，Ｃは第一の情報把握方法による画面表示を示す図。
【図５】Ａ，Ｂ，Ｃは第二の情報把握方法による画面表示を示す図。
【符号の説明】
Ｓ      サーバー
１      記憶装置
２      工事日報データベース
３      工事写真データベース
４      工事図面データベース
５      編集プログラム
６      主制御部（ＣＰＵ）
７      端末機管理プログラム
８      画面
９      外部インターフェース
１０    端末機
１１    第１メニュー
１１′  第１表示
１２    第２メニュー
１２′  第２表示
１３    第３メニュー
１３′  第３表示
１４    第４メニュー
１４′  第４表示
１５    第５メニュー
１５′  第５表示
１６    第６メニュー
１６′  第６表示
２１    第１工事期間工事日報データ（着工時工事日報データ）
２２    第２工事期間工事日報データ（施工時工事日報データ）
２３    第３工事期間工事日報データ（竣工時工事日報データ）
３１    第１工事期間工事写真データ（着工時工事写真データ）
３２    第２工事期間工事写真データ（施工時工事写真データ）
３３    第３工事期間工事写真データ（竣工時工事写真データ）
４１    第１工事期間工事図面データ（着工時工事図面データ）
４２    第２工事期間工事図面データ（施工時工事図面データ）
４３    第３工事期間工事図面データ（竣工時工事図面データ）
【図１】
0003715534.tif 000002
【図２】
0003715534.tif 000003
【図３】
0003715534.tif 000004
【図４】
0003715534.tif 000005
【図５】
0003715534.tif 000006